(57)【要約】【課題】一覧表形式の文書による上流設計文書から容易に上流設計情報を取得でき、かつ仕様改定に伴う変更情報を上流設計に反映させやすい設計データ管理装置を得る。【解決手段】フォーマット分析部１０により、一覧表形式の文書の形式を有するフォーマットファイルを分析し、変換規則データを作成しておき、上流設計文書情報取得部２０により、上流設計文書５０から上流設計情報８０を取得し、さらに上流設計変更点管理部３０により仕様変更が発生した際に改定された上流設計文書６０から、改定された上流設計情報を取得するとともにその変更点を示す上流設計変更点情報を記録し、下流側では、上流設計情報８０を参照して、下流設計を行って下流設計情報１５０を取得し、変更点を下流設計変更点情報１６０として蓄積し、上流側の改定された上流設計情報の取得の際に表示させる。【選択図】図１
2011170753.tif 000002
【特許請求の範囲】
【請求項１】
一覧表形式の文書を有するフォーマットファイルを分析し、上記文書の内容を文書情報に変換するための変換規則データを作成するフォーマット分析部、
このフォーマット分析部により作成された変換規則データを用いて、上流設計により作成された上流設計文書から上流設計情報を取得する上流設計文書情報取得部、
仕様変更が発生した際に改定された上流設計文書から、上記変換規則データを用いて、改定された上流設計情報を取得するとともに、上記改定された上流設計情報の変更部を記録する上流設計変更管理部、
上記上流設計文書情報取得部によって取得された上流設計情報または上記上流設計変更管理部によって取得された上記改定された上流設計情報から、下流設計に必要な情報を取り込む上流設計情報取得部、
この上流設計情報取得部によって取り込まれた情報に基づき、上記下流設計により作成された下流設計情報が、入力される下流設計情報入力部、
この下流設計入力部に入力された上記下流設計情報の変更部を記録する下流設計変更管理部を備え、
上記上流設計変更管理部は、上記仕様変更が発生するまでの間に記録された上記下流設計情報の変更部及び上記仕様変更より前の仕様変更に対応する上流設計情報の変更部を表示することを特徴とする設計データ管理装置。
【請求項２】
上記一覧表形式の文書の表題欄に用いられる語の同義語を定義した同義語データを用いて、上記一覧表形式の文書の表題欄を分析する表題語彙分析部を備え、
上記フォーマット分析部は、上記表題語彙分析部の分析結果を参照して、上記一覧表形式の文書の表題欄と予め設定された上流設計項目との関連により、上記変換規則データを作成することを特徴とする請求項１記載の設計データ管理装置。
【請求項３】
上記フォーマットファイルに、上記文書の書式が予め指示されている場合に、上記書式の指示を認識する書式指示認識部を備え、
上記フォーマット分析部は、上記書式指示認識部により認識された上記書式の指示を参照して、上記変換規則データを作成することを特徴とする請求項１または請求項２記載の設計データ管理装置。
【請求項４】
上記改定された上流設計文書に、変更前の文字列に抹消を示す処理が施される場合に、上記改定された上流設計文書の上記抹消を示す処理を判定する削除データ判定部を備え、
上記上流設計変更管理部は、上記削除データ判定部による判定結果を参照して、上記改定された上流設計文書から、上記改定された上流設計情報を取得することを特徴とする請求項１〜請求項３のいずれかに記載の設計データ管理装置。
【請求項５】
上流設計変更箇所を指定する上流設計変更箇所入力部、
この上流設計変更箇所入力部により指定された上記上流設計変更箇所に関連する上記上流設計情報の変更部と上記下流設計情報の変更部との関連を分析する設計変更分析部、
この設計変更分析部による分析結果に基づき、上記上流設計変更箇所に関連する上記下流設計情報の変更部を表示する下流設計変更箇所表示部を備えたことを特徴とする請求項１〜請求項４のいずれかに記載の設計データ管理装置。
【発明の詳細な説明】
【技術分野】
【０００１】
この発明は、広域監視制御システムにおける顧客との仕様打ち合わせから下流設計に至る段階で、複数の設計者間での上流設計情報の共有と協調作業を支援する設計データ管理装置に関するものである。
【背景技術】
【０００２】
従来のプラント総合エンジニアリング支援システムでは、エンジニアリングデータベースを構築し、プラントの建設工事、試験調整、試運転、総合運転のプラント総合管理と、文書自動作成を目的とするプロジェクトエンジニアリング支援が行われている。また、上流部門の設計情報が下流設計を担当するセクションのシステムに適合しない場合は、システムに適合するように変換する手段を備えている。（特許文献１参照）
さらに、上流設計情報を共有する目的の一つである、顧客からの仕様変更時の変更点管理については、データベースの設計情報の差分抽出を行い、設計情報と関連付けられたＣＡＤ上のデータを管理することで、下流設計者への変更点の伝達を容易にしたり、関係者に自動的に通知したりすることを実現している。（特許文献２、特許文献３参照）
【先行技術文献】
【特許文献】
【０００３】
【特許文献１】特開２００８−８４０５１号公報（第１９〜２４頁、図１）
【特許文献２】特開平１１−３９３５６号公報（第３〜４頁、図１）
【特許文献３】特開平７−１４１４０５号公報（第４〜９頁、図１）
【発明の概要】
【発明が解決しようとする課題】
【０００４】
従来のエンジニアリング支援装置は、以上のように構成されているので、ＣＡＤで作成される図面や、ＣＡＤデータから抽出されて自動作成される品目表のような文書で、上流設計者と顧客との打ち合わせが行われる場合には問題がない。
しかし、広域監視制御システムを構築するために、設計者と顧客との打ち合わせが行われる場合には、基地局と監視制御対象に対応する子局との通信に用いられる伝送項目を一覧表化した文書を元に、打ち合わせが行われ、設計に当たって打ち合わせた内容をデータベース化するためには、打ち合わせに使用した一覧表形式の文書のデータ化が必要になってくる。
また、一覧表形式の文書は、図面のように規格化された形式がないため、顧客ごとに異なる形式を使用しなければならない状況であり、一覧表形式の文書のデータ化には、形式の変換をその都度、個々の方法で実施しなければならない、という問題があった。
【０００５】
また、上記のように一覧表形式の文書をデータ化すると、文書を作成するのに用いたアプリケーションを用いて形式を変換することが多くなるため、仕様の変更が起こった場合は、再度、同じ変換操作を行う必要があり、上流設計情報を最新の状態に保持するための工数がかかる、という問題もあった。
さらに、最初にデータ化した上流設計情報と下流設計情報との間に関連付けが行われ、下流設計中の段階で仕様変更が行われた場合には、上流設計情報を消去してしまうことができないため、変更点のみを選択的に反映していく必要があるが、個々に形式を変換している状況では、汎用的に使用可能な変更点反映装置がなく、変更データの反映作業の工数が膨大になってしまう、という問題があった。
【０００６】
この発明は、上述のような課題を解決するためになされたものであり、一覧表形式の文
書による上流設計文書からでも容易に上流設計情報を取得でき、かつ仕様改定に伴う変更情報を上流設計に反映させやすい設計データ管理装置を得ることを目的にしている。
【課題を解決するための手段】
【０００７】
この発明に係わる設計データ管理装置においては、一覧表形式の文書を有するフォーマットファイルを分析し、文書の内容を文書情報に変換するための変換規則データを作成するフォーマット分析部、このフォーマット分析部により作成された変換規則データを用いて、上流設計により作成された上流設計文書から上流設計情報を取得する上流設計文書情報取得部、仕様変更が発生した際に改定された上流設計文書から、変換規則データを用いて、改定された上流設計情報を取得するとともに、改定された上流設計情報の変更部を記録する上流設計変更管理部、上流設計文書情報取得部によって取得された上流設計情報または上流設計変更管理部によって取得された改定された上流設計情報から、下流設計に必要な情報を取り込む上流設計情報取得部、この上流設計情報取得部によって取り込まれた情報に基づき、下流設計により作成された下流設計情報が、入力される下流設計情報入力部、この下流設計入力部に入力された下流設計情報の変更部を記録する下流設計変更管理部を備え、上流設計変更管理部は、仕様変更が発生するまでの間に記録された下流設計情報の変更部及び仕様変更より前の仕様変更に対応する上流設計情報の変更部を表示するものである。
【発明の効果】
【０００８】
この発明は、以上説明したように、一覧表形式の文書を有するフォーマットファイルを分析し、文書の内容を文書情報に変換するための変換規則データを作成するフォーマット分析部、このフォーマット分析部により作成された変換規則データを用いて、上流設計により作成された上流設計文書から上流設計情報を取得する上流設計文書情報取得部、仕様変更が発生した際に改定された上流設計文書から、変換規則データを用いて、改定された上流設計情報を取得するとともに、改定された上流設計情報の変更部を記録する上流設計変更管理部、上流設計文書情報取得部によって取得された上流設計情報または上流設計変更管理部によって取得された改定された上流設計情報から、下流設計に必要な情報を取り込む上流設計情報取得部、この上流設計情報取得部によって取り込まれた情報に基づき、下流設計により作成された下流設計情報が、入力される下流設計情報入力部、この下流設計入力部に入力された下流設計情報の変更部を記録する下流設計変更管理部を備え、上流設計変更管理部は、仕様変更が発生するまでの間に記録された下流設計情報の変更部及び仕様変更より前の仕様変更に対応する上流設計情報の変更部を表示するので、顧客ごとに異なる形式を持つ上流設計文書ファイルから、工数をかけることなく上流設計情報を取得することができるとともに、上流設計者が表示内容を確認しながら仕様改定に伴う変更情報を上流設計情報に反映させることができる。
【図面の簡単な説明】
【０００９】
【図１】この発明の実施の形態１による設計データ管理装置を示す機能ブロック図である。
【図２】この発明の実施の形態１による設計データ管理装置のフォーマット分析部の動作を示すフロー図である。
【図３】この発明の実施の形態１による設計データ管理装置の上流設計文書情報取得部の動作を示すフロー図である。
【図４】この発明の実施の形態２による設計データ管理装置を示す機能ブロック図である。
【図５】この発明の実施の形態３による設計データ管理装置を示す機能ブロック図である。
【図６】この発明の実施の形態４による設計データ管理装置を示す機能ブロック図である。
【図７】この発明の実施の形態５による設計データ管理装置を示す機能ブロック図である。
【発明を実施するための形態】
【００１０】
実施の形態１．
以下、この発明の実施の形態１を図に基づいて説明する。
図１は、この発明の実施の形態１による設計データ管理装置を示す機能ブロック図である。
図１において、設計データ管理装置は、上流設計者操作部１００によって操作される上流設計部１１０と、下流設計者操作部１７０によって操作される下流設計部１８０とにより構成される。
【００１１】
次に、上流設計部１１０の構成について説明する。
上流設計者によって操作される上流設計者操作部１００から、一覧表形式の文書の元となるフォーマットファイル４０が送られると、フォーマット分析部１０は、フォーマットファイル４０を読み込み、形式を分析して、文書の内容をデータに変換するための変換規則データ７０を作成する。
また、上流設計者操作部１００から、上流設計者によって設計された上流設計文書ファイル５０が送られると、上流設計文書情報取得部２０は、上流設計文書ファイル５０と変換規則データ７０とを読み込み、変換規則データ７０に基づき、上流設計文書ファイル５０を上流設計情報のデータに変換して取得し、上流設計情報８０として蓄積する。
上流設計変更点管理部３０（上流設計変更管理部）は、上流設計者操作部１００から、上流設計者によって改定された上流設計文書ファイル６０が上流設計変更点管理部３０に送られると、改定された上流設計文書ファイル６０と変換規則データ７０と上流設計情報８０とを読み込む。そして、改定された上流設計ファイル６０と上流設計情報８０との差分から変更点（変更部）を抽出し、過去の改定で上流設計情報８０に反映された上流設計変更点情報９０と、改定が行われるまでに、下流設計で変更された下流設計変更点情報１６０（後述する）とを、上流設計者操作部１００に表示しつつ、変更点反映可否に関する入力データに基づいて、改定された上流設計情報を上流設計情報８０に蓄積すると共に、上流設計変更点情報９０にその変更点を記録するようになっている。
【００１２】
次に、下流設計部１８０の構成について説明する。
非同期に動作する上流設計情報取得部１２０は、上流設計情報８０と上流設計変更点情報９０とを読み込んで、下流設計に必要な情報に変換しながら下流設計情報１５０に蓄積する。
下流設計者によって操作される下流設計者操作部１７０からの要求が入力された下流設計入力部１３０（下流設計情報入力部）は、下流設計情報１５０の内容を下流設計者操作部１７０に表示させつつ、下流設計者操作部１７０で下流設計者が下流設計を行って入力されたデータを下流設計情報１５０に蓄積していく。下流設計変更点管理部１４０（下流設計変更管理部）は、下流設計情報１５０に入力が行われた場合に、変更点を下流設計変更点情報１６０に蓄積する。
【００１３】
設計データ管理装置の実施に当たっては、上流設計部１１０と下流設計部１８０とを一台の装置に搭載して実施することもできるし、上流設計者と下流設計者が分散して作業を行う場合には、上流設計部１１０と下流設計部１８０とを分散した複数の装置にそれぞれ搭載し、複数の装置をネットワークで連携させて、全体を仮想的な設計データ管理装置として実施することもできる。
さらに、データを集めてデータベースサーバに統合し、ネットワークで連携して実施することが可能であることはいうまでもない。
【００１４】
図２は、この発明の実施の形態１による設計データ管理装置のフォーマット分析部の動作を示すフロー図である。
【００１５】
図３は、この発明の実施の形態１による設計データ管理装置の上流設計文書情報取得部の動作を示すフロー図である。
【００１６】
次に、動作について説明する。
まず、実施の形態１におけるフォーマット分析部１０の動作について図２を用いて説明する。
フォーマット分析部１０の目的は、一覧表の文書の形式を変換規則として蓄積することであるが、これは、一覧表の表題欄と上流設計項目との関連を調べることで実現する。
このために、フォーマット分析部１０は、フォーマットファイル４０を読み込み、印刷範囲を取得することで、一覧表として分析する行および列の範囲を特定し（ステップＳ１０）、その特定した範囲を元に、行および列をそれぞれ昇順に分析するために行を指定する行インデックスを初期化し（ステップＳ２０）、ステップＳ３０〜ステップＳ１２０の間で、行に関する繰返し処理を行う。
行の繰返しの中では、列に関しても列インデックスの初期化（ステップＳ４０）を行い、ステップＳ５０〜ステップＳ１００の間で、列に関する繰返し処理を行う。
【００１７】
繰返される処理として、行インデックスと列インデックスとで指定される表の一マス（セル）の内部に記載されている文字列を取得し（ステップＳ６０）、その文字列が、記憶している上流設計項目名と一致しているかどうかを判定し（ステップＳ７０）、判定の結果、文字列と上流設計項目名が一致している場合には、当該上流設計項目名と行インデックスと列インデックスとを変換規則データ７０に記録する（ステップＳ８０）。
ステップＳ９０で、列インデックスを加算することと、ステップＳ１１０で、行インデックスを加算することとを行い、それぞれ繰返し処理を行うことで、分析範囲を網羅することができ、結果として、一覧表の表題欄で上流設計項目に該当する項目名の配置状況を把握できるようになる。
【００１８】
さらに、ステップＳ１３０では、変換規則データ７０を読み込んで、行インデックスと列インデックスの変化の状況を調べることで、行が一定で列が変化している場合には、表題欄が行内に記載されていると判断するか、列が一定で行が変換している場合には、表題欄が列内に記載されていると判断することで、それぞれ一連のデータが列方向に並ぶことになるか、行方向に並ぶことになるかを判定することができ、結果を変換規則データ７０に記録する。
ステップＳ１４０では、変換規則データ７０を読み込んで、表題欄の行インデックスおよび列インデックスの最小値、最大値、および、先に求めたデータ並び方向より、データの範囲の起点（上側または左側）を取得してデータ範囲として変換規則データに記録する。
ここで、ステップＳ７０で実施するセル内の文字列と上流設計項目名との比較は、一覧表が顧客との打ち合わせに用いられるものであることを考慮し、単位を併記することを考慮して、完全な一致ではなく、文字列を含むかどうかの比較を行ったり、見栄えを良くするために改行や全角・半角混在を行っていることを考慮して、整形した文字列で比較を行ったりすることで、上流設計項目と対応するデータを見つけ易くする。
【００１９】
次に、実施の形態１における上流設計文書情報取得部２０の動作について、図３を用いて説明する。
上流設計文書情報取得部２０は、入力された上流設計文書ファイル５０から上流設計に関する情報を取得することを目的とするが、ここでは、上流設計項目に該当するデータを選定する動作について説明する。
このために、上流設計文書情報取得部２０は、変換規則データ７０を読み込み、先に記録したデータ並び方向を取得し（ステップＳ２１０）、また、データ範囲を取得する（ステップＳ２２０）。データ並び方向が列方向であるか、行方向であるかを判定し（ステップＳ２３０）、列方向であれば、ステップＳ２４０〜ステップＳ３６０を実行し、行方向であれば、ステップＳ３７０〜ステップＳ４９０を実行する。
これらは、行の繰返し（ステップＳ２５０〜ステップＳ３６０の間）の中で列の繰返し（ステップＳ２７０〜ステップＳ３３０の間）を行うか、列の繰返し（ステップＳ３８０〜ステップＳ４９０の間）の中で行の繰返し（ステップＳ４００〜ステップＳ４６０の間）を行うかが異なるだけであるので、ここでは前者（ステップＳ２４０〜ステップＳ３６０の間）についてのみ説明する。
【００２０】
この場合、一行の中に一連のデータが並び、一連のデータが列方向に複数個並ぶため、外側のループでは行インデックスを初期化し（ステップＳ２４０）、行の繰返しの最後で加算し（ステップＳ３５０）、内側のループでは、列インデックスを初期化し（ステップＳ２６０）、列の繰返しの最後で加算（ステップＳ３２０）することで、一連のデータのそれぞれのデータを、行インデックスと列インデックスとで指定されるセル内を読み取ることで取得できる（ステップＳ２８０）。
連続的にセルの内容を取得しているので、得られたデータが上流設計項目に該当するかどうかを判定し（ステップＳ２９０）、該当する場合には、一次記憶（ステップＳ３１０）に、上流設計項目とセル内のデータを記憶させる（ステップＳ３００）。
列の繰返しが完了した段階で、一連のデータが一次記憶（ステップＳ３１０）に蓄積されていることになり、これを１レコード分のデータとして、上流設計情報８０に書き込む。全体の繰返しが終了した段階で、上流設計文書ファイル５０に含まれるデータは、上流設計情報８０に蓄積されていることになる。
【００２１】
実施の形態１によれば、上流設計部は、一覧表形式の文書の元となるフォーマットファイルを読み込んで形式を分析して変換規則データを作成するフォーマット分析部を持ち、さらに変換規則データを用いて上流設計文書ファイルから上流設計情報を変換して取得する上流設計文書取得部を持つように構成したので、顧客ごとに異なる形式を持つ上流設計文書ファイルから、工数をかけることなく上流設計情報を取得することができる。
また、下流設計部が、下流設計に必要な上流設計情報を取得する上流設計情報取得部を有するとともに、下流設計者が下流設計を行い、下流設計情報を入力した場合に、変更点を抽出して記録する下流設計変更点管理部とを持つように構成され、上流設計部は、改定された上流設計文書ファイルが入力された場合に、上流設計情報との差分から変更点を抽出し、改定時の変更点、進行中の下流設計で変更された下流設計変更点情報、上流設計情報の過去の変更点を表示するようにして、上流設計者が表示内容を確認しながら仕様改定に伴う変更情報を上流設計情報に反映することができるようにしたので、仕様変更点の反映工数を削減することができる。
【００２２】
実施の形態２．
図４は、この発明の実施の形態２による設計データ管理装置を示す機能ブロック図である。
図４において、１０〜１８０は図１におけるものと同一のものである。図４では、上流設計部１１０に表題語彙分析部１９０を設け、同義語を定義している同義語データ２００を用いて同義語を認識することで、同義語を用いた表題であっても、フォーマット分析部１０で分析できるようにした。
【００２３】
実施の形態１では、フォーマット分析部１０の動作を示すステップＳ７０で、フォーマットファイル４０のセルに含まれる文字列と上流設計項目を比較することについて述べたが、実施の形態２は、図４に示すように、表題語彙分析部１９０を設け、同義語データ２００に含まれる同義語の定義を用いて、文字列を同義語の数だけ、複数回比較するようにした。
これにより、顧客との打ち合わせに応じた語彙を用いて、一覧表の表題欄を作成しても、上流設計情報を取得することができる。
【００２４】
実施の形態２によれば、一覧表の表題欄に同義語が記載されたものであっても、同義語データを用いた分析により、上流設計情報を取得することができる。
【００２５】
実施の形態３．
図５は、この発明の実施の形態３による設計データ管理装置を示す機能ブロック図である。
図５において、１０〜２００は図４におけるものと同一のものである。図５では、上流設計部１１０に、背景色などの書式の違いによる指示を認識する書式指示分析部２１０（書式指示認識部）を設け、フォーマット分析に生かしている。
【００２６】
実施の形態１では、フォーマット分析部１０の動作を示すステップＳ１４０で、フォーマットファイル４０の中のデータの範囲を変換規則データ７０として、記録したセルを示す行インデックスと列インデックスの並びから判定することについて述べたが、実施の形態３は、上流設計部１１０に、背景色などの書式の違いによる指示を認識する書式指示分析部２１０を設けている。
実施の形態３では、フォーマットファイル４０を入力する前に、手作業で一覧表のデータ範囲、表題欄、空白部分などをセルの背景色を用いて塗り分けるなど、セルの書式を指定する作業を行う必要がある。そして、図５に示すように、上流設計部１１０に書式指示分析部２１０を設けて、背景色などの書式の違いによる指示を認識し、データ範囲を表題欄や空白部分などと分離して扱えるようにした。
これにより、フォーマット分析部１０は、より精度よくフォーマットの分析を行うことができる。例えば、データは連続して記載するが、印刷時に頁ごとに表題欄を自動的に繰り返すような機能を用いず、頁を形成する図形フォーマットを頁数分並べ（頁ごとに改訂欄を設けることを顧客から指示され、フォーマットの一部に変動する情報がある場合にこの方式が採用される）、頁ごとに分離されたデータを並べているようなフォーマットからも、データ範囲を指示通りに判定することができる。
【００２７】
実施の形態３によれば、上流設計部に書式指示分析部を設けたので、フォーマット分析部によるフォーマットの分析を、より精度よく行うことができる。
【００２８】
実施の形態４．
図６は、この発明の実施の形態４による設計データ管理装置を示す機能ブロック図である。
図６において、１０〜２１０は図５におけるものと同一のものである。図６では、上流設計部１１０に、削除規則２３０を用いて削除データを分析する削除データ分析部２２０（削除データ判定部）を設けている。
【００２９】
実施の形態１では、上流設計文書情報取得部２０の動作を示すステップＳ３００とステップＳ４３０とで、設計項目に該当するセル内の文字をデータとして書き込むことを述べたが、実施の形態４は、上流設計部１１０に、削除規則２３０を用いて、削除データを分析する削除データ分析部２２０を設けたものである。
実施の形態４では、顧客との打ち合わせの結果、生じた変更点を上流設計文書内へ反映する際に、削除する文字列に抹消線を付すようにする。そして、削除データ分析部２２０により、上流設計文書の抹消線が付されている文字列を判別し、これを削除するようにしたので、文書作成上の習慣に応じた上流設計情報の取得が行える。
【００３０】
実施の形態４では、顧客との打ち合わせの際には、打ち合わせの結果、生じた変更点を上流設計文書内へ反映する際に、削除されるべき文字列に抹消線を付すことで、変更前の記載事項が残されたデータを含む上流設計文書ファイル５０や、改定後の上流設計文書ファイル６０が入力された場合に、図６に示すように、削除データ分析部２２０が削除規則２３０を元に、抹消線が付されている文字列を判別し、上流設計情報８０に入力しない、または、削除するようにした。これにより、文書作成上の習慣に応じた上流設計情報の取得が行える。
ここで、削除規則２３０には、文字の書式として削除を表す属性値やセルの背景色・罫線のパターンで削除を表す属性値など典型的なパターンを準備するとともに、利用者である上流設計者が、削除を示す方法をカスタマイズ登録できるようにしておくこともできる。
この方法の例として、削除された文字列であることを示すための一連の操作を記録し、登録された操作で生じる状態と同じ状態になっている文字列を削除とみなす、という方法がある。使用例としては、削除マークを付加するセルの右側のセルは、削除とみなすなどのルールが決められている場合に、削除対象のセルと削除マークを付加する操作を登録することで、通常のデータ取得では上流設計情報８０に登録されてしまうようなデータを削除とみなして、上流設計文書情報取得処理を行うことができるようになる。
【００３１】
実施の形態４によれば、上流設計部に削除データ分析部を設け、削除とされた文字列を上流設計情報から確実に削除するようにしたので、文書作成上の習慣に応じた上流設計情報の取得を行うことができる。
【００３２】
実施の形態５．
図７は、この発明の実施の形態５による設計データ管理装置を示す機能ブロック図である。
図７において、１０〜２３０は図６におけるものと同一のものである。図７では、設計者操作表示部２７０によって操作される下流設計知識分析部２８０を設けている。下流設計知識分析部２８０は、設計者操作表示部２７０から、指定された上流設計変更箇所が入力される上流設計変更箇所入力部２４０と、入力された上流設計変更箇所に関連して、上流設計変更点情報９０と下流設計変更点情報１６０の関連を分析する設計変更点分析部２５０（設計変更分析部）と、設計変更点分析部２５０による分析結果を設計者操作表示部２７０に表示する下流設計変更箇所表示部２６０とを有している。
【００３３】
実施の形態１では、改定された上流設計文書ファイル６０の変更点を、上流設計情報８０に反映させる際に、改定された上流設計文書ファイル６０と上流設計情報８０との変更点と反映可否を上流設計者が判断するための上流設計変更点情報９０と下流設計変更点情報１６０とを合わせて表示することで、複数の設計者間での必要となる変更点情報を得やすくする方法について述べたが、実施の形態５は、図７に示すように、下流設計知識分析部２８０を設け、指定された上流設計変更箇所に関連する下流設計変更点情報のみを表示させるようにした。
設計者操作表示部２７０によって指定された上流設計変更箇所が、上流設計変更箇所入力部２４０に入力されると、設計変更点分析部２５０が、この上流設計変更箇所に関連して、上流設計変更点情報９０と下流設計変更点情報１６０の関連を分析し、下流設計変更箇所表示部２６０により、その分析結果を設計者操作表示部２７０に表示させるようにした。
このため、設計者操作表示部２７０により指定された上流設計変更箇所に関連する下流設計変更点情報のみを表示することができるようになる。
【００３４】
実施の形態５によれば、下流設計知識分析部を設け、設計者操作表示部により指定され
た上流設計変更箇所に関連する下流設計変更点情報のみを表示するようにしたので、上流設計での仕様変更点の波及箇所を把握し、情報共有による効果を高めることができる。
【符号の説明】
【００３５】
１０  フォーマット分析部
２０  上流設計文書情報取得部
３０  上流設計変更点管理部
４０  フォーマットファイル
５０  上流設計文書
６０  改定された上流設計文書
７０  変換規則データ
８０  上流設計情報
９０  上流設計変更点情報
１００  上流設計者操作部
１１０  上流設計部
１２０  上流設計情報取得部
１３０  下流設計入力部
１４０  下流設計変更点管理部
１５０  下流設計情報
１６０  下流設計変更点情報
１７０  下流設計者操作部
１８０  下流設計部
１９０  表題語彙分析部
２００  同義語データ
２１０  書式指示分析部
２２０  削除データ分析部
２３０  削除規則
２４０  上流設計変更箇所入力部
２５０  設計変更点分析部
２６０  下流設計変更箇所表示部
２７０  設計者操作表示部
２８０  下流設計知識分析部
【図１】
2011170753.tif 000003
【図２】
2011170753.tif 000004
【図３】
2011170753.tif 000005
【図４】
2011170753.tif 000006
【図５】
2011170753.tif 000007
【図６】
2011170753.tif 000008
【図７】
2011170753.tif 000009